(57)【要約】【課題】戸の強度を高くし、その戸に物品を収納できるようにする。【解決手段】建物の開口部Ｏに設けられ、建具枠１と、該建具枠１に開閉可能に支持された、複数の戸パネル２ａ，２ａが折り畳まれて開く折戸２とを備えた建具Ｄにおいて、前記折戸２は、閉じ位置で前記建具枠１の上枠部１ｂに重なるように設けられており、前記折戸２の戸パネル２ａ，２ａ上面に、前記折戸２の閉じ位置で前記上枠部１ｂによって閉塞される凹陥状の収納部５，５が形成されている。【選択図】図１
2020007794.tif 000002
【特許請求の範囲】
【請求項１】
建物の開口部に設けられ、建具枠と該建具枠に開閉可能に支持された戸とを備えた建具において、
前記戸の上面に凹陥状の収納部が形成されていることを特徴とする収納部付き建具。
【請求項２】
請求項１に記載した収納部付き建具において、
前記戸は、閉じ位置で前記建具枠の上枠部に重なるように設けられており、
前記収納部は、前記戸の閉じ位置で前記上枠部によって閉塞されるように構成されていることを特徴とする収納部付き建具。
【請求項３】
請求項１又は２に記載した収納部付き建具において、
前記収納部は、前記戸の上面の戸先側に形成されていることを特徴とする収納部付き建具。
【請求項４】
請求項１〜３のいずれか１つに記載した収納部付き建具において、
前記収納部の深さは１００ｍｍ以下であることを特徴とする収納部付き建具。
【請求項５】
請求項１〜４のいずれか１つに記載した収納部付き建具において、
前記収納部の開口を開閉可能に覆う蓋部材を備え、
前記蓋部材は、前記戸の上面と平行にスライド移動して前記収納部の開口を開閉するスライド式のものである
ことを特徴とする収納部付き建具。
【請求項６】
請求項２〜５のいずれか１つに記載した収納部付き建具において、
前記戸は開き戸、折戸又は引き折戸であり、
前記収納部は、前記戸が開き位置にあるときに前記建具枠の上枠部から手前側にずれた位置に位置するように形成されている
ことを特徴とする収納部付き建具。
【請求項７】
請求項１〜６のいずれか１つに記載した収納部付き建具において、
前記収納部は、前記収納部付き建具を調整するための調整工具が収納されるものであることを特徴とする収納部付き建具。
【発明の詳細な説明】
【技術分野】
【０００１】
本発明は、収納部付き建具に関するものである。
【背景技術】
【０００２】
従来より、建物内のデッドスペースを有効に活用する技術として、特許文献１及び特許文献２に示されるものが知られている。
【０００３】
特許文献１には、収納家具におけるデッドスペースの活用技術として、収納家具の左右の側板及び背板を底板の位置よりも下側に延ばして、その延長部と底板と床面との間に空間部を形成し、空間部を扉の下方において取り外し可能な幕板によって閉塞することで、この空間部を収納物を収納するための収納空間として活用することが提案されている。特許文献１の発明では、収納家具の下方のデッドスペースを収納空間として活用するために、収納家具に限定されてしまい、他の部分への適用が困難である。
【０００４】
一方で、建具のデッドスペースの活用技術として、特許文献２には、集合住宅等の玄関に設けられる扉本体の外壁面に、収納部が窪んで形成されてなる収納部付き扉が提案されている。
【０００５】
また、特許文献３には、ドアの戸先部内に収容空間を形成し、その収容空間にスチール棒を収容し、ドアの重心を戸先部側に移動させて開閉時の重量感が得られるようにすることが提案されている。
【先行技術文献】
【特許文献】
【０００６】
【特許文献１】特開２００１−２３８７４５号公報
【特許文献２】実開平２−５１６８７号公報
【特許文献３】特開２００５−１３３４６３号公報
【発明の概要】
【発明が解決しようとする課題】
【０００７】
しかし、特許文献２の扉本体はチャンネル状鋼材からなり、チャンネル状鋼材の凹部を収納部として活用しているため、扉本体の表裏面に凹部が形成されることになり、その収納部のスペースを確保する分だけ、相対的に扉本体の強度が低くなる虞がある。
【０００８】
また、特許文献３のドアでは、戸先側の収容空間は重心調整用の錘としてのスチール棒を専用に常時収容するもので、そのスチール棒以外のものを収容することはできず、その場合には重心の調整という本来の目的が達成できなくなる。
【０００９】
本発明は斯かる点に鑑みてなされたものであり、その目的は、戸の強度をさほど犠牲にすることなく、その戸に物品を収納できるようにすることにある。
【課題を解決するための手段】
【００１０】
上記の目的を達成するために、この発明では、建具の戸上面に凹陥部からなる収納部を形成した。
【００１１】
具体的には、第１の発明は、建物の開口部に設けられ、建具枠と該建具枠に開閉可能に支持された戸とを備えた建具において、前記戸の上面に凹陥状の収納部が形成されていることを特徴とする。
【００１２】
この第１の発明に係る収納部付き建具は、戸の上面に凹陥状の収納部が形成されているので、戸の表裏面に凹部を形成して収納部とする場合に比べて、戸の強度が低下することはなく、その強度を高く保つことができる。また、収納部は、戸の上面に形成されているので、下側から見えず、その存在が気づき難くなる。従って、その収納部を隠し収納部等として活用できる。
【００１３】
第２の発明は、第１の発明において、前記戸は、閉じ位置で前記建具枠の上枠部に重なるように設けられており、前記収納部は、前記戸の閉じ位置で前記上枠部によって閉塞されるように構成されていることを特徴とする。
【００１４】
この第２の発明では、戸の閉じ位置で建具枠の上枠部によって収納部が閉塞されるので、その収納部の存在がより一層気づき難くなる。しかも、その上枠部が収納部を開閉する蓋部となり、別途に蓋部を設けることが必須でなくなる。
【００１５】
第３の発明は、第１又は第２の発明において、前記収納部は、前記戸の上面の戸先側に形成されていることを特徴とする。
【００１６】
この第３の発明では、収納部が戸の上面の戸先側に形成されているので、戸を開いたときに収納部が完全に露出して手の届くところに位置する。従って、収納部への収納物の出し入れがしやすい。
【００１７】
第４の発明は、第１〜第３のいずれか１つの発明において、前記収納部の深さは１００ｍｍ以下であることを特徴とする。
【００１８】
この第４の発明は、収納部の深さが１００ｍｍ以下と比較的浅いので、手等を入れて収納部から収納物を取り出しやすい。
【００１９】
第５の発明は、第１〜第４のいずれか１つの発明において、前記収納部の開口を開閉可能に覆う蓋部材を備え、前記蓋部材は、前記戸の上面と平行にスライド移動して前記収納部の開口を開閉するスライド式のものであることを特徴とする。
【００２０】
この第５の発明では、収納部の開口を開閉可能に覆う蓋部材を備えるので、戸の開閉状態に拘わらず、収納部を蓋部材によって常時閉じておくことが可能となり、収納部に埃等のゴミがたまるのを防ぐことができる。
【００２１】
また、蓋部材がスライド式のものであるので、手探りでも蓋部材をスライドさせて開閉させることができ、操作性が良い。
【００２２】
第６の発明は、第２〜第５のいずれか１つの発明において、前記戸は開き戸、折戸又は引き折戸であり、前記収納部は、前記戸が開き位置にあるときに前記建具枠の上枠部から手前側にずれた位置に位置するように形成されていることを特徴とする。
【００２３】
この第６の発明では、戸が折戸、開き戸又は引き折戸であるので、戸が閉じ位置にあるときには、戸が上枠部の下側に移動して該上枠部が戸上面を覆うことで、収納部が上枠部によって閉塞され、戸が開き位置にあるときには、戸が上枠部の下側以外の位置に移動して該上枠部が戸上面を覆わなくなることで、収納部が露出する。従って、戸を開き位置に移動させると収納部から収納物を出し入れすることができる。
【００２４】
また、収納部は戸を開き位置に移動させたときに手前側にずれた位置に位置するので、収納部への収納物の出し入れが手前側からしやすい。
【００２５】
第７の発明は、第１〜第６のいずれか１つの発明において、前記収納部は、前記収納部付き建具を調整するための調整工具が収納されるものとする。
【００２６】
この第７の発明では、収納部に収納部付き建具の調整工具が収納されているので、調整工具が施工後に殆ど使用しないために保管場所を忘れやすいものであっても、必要なときにすぐに取り出すことができ、且つ、調整工具を無くさないように収納しておくことができる。
【発明の効果】
【００２７】
以上説明したように、本発明によると、戸の上面に凹陥部からなる収納部が形成されているので、戸の強度を確保しつつ、その上面に収納部を形成して物品を収納することができ、その収納部を存在が気づき難い隠し収納部として活用できる。
【図面の簡単な説明】
【００２８】
【図１】図１は、実施形態１に係る折戸の全体構成を示す斜視図である。
【図２】図２は、戸パネル内の芯材の組付状態を示す断面図である。
【図３】図３は、実施形態１に係る折戸の収納部の平面図である。
【図４】図４は、実施形態２に係る折戸の一方の収納部の平面図である。
【図５】図５は、実施形態２に係る折戸の厚さ方向に沿った断面図である。
【図６】図６は、実施形態２に係る折戸の幅方向に沿った断面図である。
【図７】図７は、実施形態３に係る開き戸の正面図である。
【発明を実施するための形態】
【００２９】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００３０】
（実施形態１）
図１は、本発明の実施形態１に係る収納部付き建具Ｄを示す。
【００３１】
収納部付き建具Ｄは、例えば、建物内のクローゼットなどの開口部Ｏ（建物の開口部）に施工され、その開口部Ｏを開閉するものである。収納部付き建具Ｄは、この開口部Ｏの周囲に固定されて施工された建具枠１と、この建具枠１に開閉可能に支持された折戸２とを備えている。
【００３２】
建具枠１は、上下方向に延びる左右一対の縦枠部１ａ，１ａと、これら縦枠部１ａ，１ａの上端部間に架設された上枠部１ｂと、下端部間に架設された下枠部１ｃとからなる。上枠部１ｂの下面及び下枠部１ｃの上面には、それぞれの長手方向に延びるガイドレール１ｄが１つずつ取り付けられている。そして、各ガイドレール１ｄは、後述するガイド部材を長手方向にて走行可能に収納している。尚、下枠部１ｃは床面と面一になるように施工されている。
【００３３】
折戸２は、左右一対の戸パネル２ａ，２ａを備え、両戸パネル２ａ，２ａの幅方向内側の端部同士は上下２つの丁番２ｂ，２ｂで回動可能に連結されている。図２に示すように、これらの戸パネル２ａ，２ａはフラッシュ戸であり、格子枠状に連結された例えば厚さ２０ｍｍの複数の芯材２ｃ，２ｃ，…を有し、その表裏面にそれぞれ例えば厚さ２〜３ｍｍの面材２ｄ，２ｄが一体に張り付けられている。これらの戸パネル２ａ，２ａの左右側部の各端面にも、面材２ｄがそれぞれ一体に貼り付けられている。
【００３４】
複数の芯材２ｃ，２ｃ，…は、複数の横芯材２ｃ，２ｃ，…及び左右一対の縦芯材２ｃ，２ｃからなる。各戸パネル２ａの内部は、各芯材２ｃの間にハニカムコア２ｅが充填されている。各戸パネル２ａの寸法は、例えば、高さ１７５０ｍｍ、幅４４０ｍｍ、厚さ２４ｍｍである。
【００３５】
折戸２の戸尻側（左側）の戸パネル２ａにおいて、その幅方向外側の左端部の上面及び下面にはそれぞれ上下に突出する回転軸（図示しない）が上下に対応するように固定されている。これら回転軸は、上枠部１ｂ及び下枠部１ｃに形成した支持穴（図示しない）に嵌入されており、戸尻側の戸パネル２ａは建具枠１に対し回転軸によって回転可能に支持されている。
【００３６】
折戸２の戸先側（右側）の戸パネル２ａには、その幅方向外側の右端部の上面及び下面に、各ガイドレール１ｄに係合して戸パネル２ａの水平移動を案内するガイド部材（図示しない）が取り付けられている。また、この戸パネル２ａには、その幅方向外側の上下方向中央部に把手４が取り付けられており、この把手４を把持して折戸２を開閉させるようにしている。すなわち、この把手４を把持して戸先側の戸パネル２ａを戸尻側へ移動させると、戸先側の戸パネル２ａはその上下のガイド部材が建具枠１の上下のガイドレール１ｄ，１ｄに沿って水平移動することで、上方から見て反時計回り方向に回動しながら戸尻側に移動し、それとともに、戸先側の戸パネル２ａに連結されている戸尻側戸パネル２ａが回転軸回りに上方から見て時計回り方向に回動して、両戸パネル２ａ，２ａは互いに重なるように折り畳まれ、折戸２が開き位置に移動し、この開き位置で折戸２が折り畳まれたときに、戸尻側戸パネル２ａの戸先側端部と戸先側戸パネル２ａの戸尻側端部とは共に建具枠１の上枠部１ｂから手前側にずれた位置に位置している。
【００３７】
図３は、両戸パネル２ａ，２ａの幅方向内側の端部の上面を示している。この図３に示すように、両戸パネル２ａ，２ａの幅方向内側の各端部の上面には、その上面を凹陥させてなる収納部５，５が形成されている。すなわち、これらの収納部５，５は、折戸２を折り畳んだときに開口部Ｏから手前側に位置する各戸パネル２ａの上面に形成されている。具体的には、各収納部５は、各戸パネル２ａの上端において、面材を除いた部分、つまり最上端に配置されている横芯材２ｃの上面に形成されている。また、各収納部５は断面矩形状の有底穴であり、その深さは、１００ｍｍ以下であり、例えば３０ｍｍである。収納部５の戸パネル２ａの幅方向に沿った長さ（図３参照）は、例えば１００ｍｍとされ、収納部５の戸パネル２ａの厚さ方向の幅（図３参照）は芯材２ｃの厚さと同じ（２０ｍｍ）とされている。
【００３８】
折戸２は、閉じ位置で戸パネル２ａ，２ａが平面上に並んで上枠部１ｂに重なるようになっており、このことで、収納部５，５は、折戸２の閉じ位置で上枠部１ｂによって閉塞される。
【００３９】
以上のように、この実施形態に係る収納部付き建具Ｄは、折戸２の各戸パネル２ａの上面に凹陥状の収納部５が形成されているので、チャンネル状鋼材の凹部を収納部とするように戸の表裏面に凹部を形成する場合に比べて、戸２の強度を高く保つことができる。また、収納部５，５は、フラッシュ戸からなる戸パネル２ａの芯材２ｃの上面に形成されているので、建具Ｄの構成は簡単になる。
【００４０】
さらに、各収納部５は、折戸２の戸パネル２ａ上面に形成されているので、下側から見えることはない。しかも、折戸２の閉じ位置で建具枠１の上枠部１ｂによって収納部５，５が閉塞されるので、その存在が気づき難くなる。従って、その収納部５，５を例えば隠し収納部として活用できる。また、折戸２の閉じ位置で建具枠１の上枠部１ｂによって収納部５が閉塞されるので、その上枠部１ｂが収納部５を開閉する蓋部となり、別途に蓋部を設けることは必須でなくなる。
【００４１】
収納部５，５は、前述のように、隠し収納部として活用できるので、例えば、スペアキーや臍繰り金など、秘密にしておきたい収納物を収納することができる。また、収納部５，５は、折戸２の戸パネル２ａ，２ａの上面に形成されているので、特に当該折戸２のために付属している調整工具、例えば、折戸２の丁番の２ｂ，２ｂに挿通されたネジなどが緩んだ際にネジを締める調整工具などを収納しておくことで、調整工具が建具Ｄの施工後に殆ど使用しないために保管場所を忘れやすいものであっても、必要なときに素早く取り出すことができ、且つ、調整工具を無くさないように収納しておくことができる。
【００４２】
また、収納部５，５は、折戸２を折り畳んだときに手前側にずれた位置に位置する戸パネル２ａ，２ａの上面に形成されている。このため、収納部５，５に収納物を出し入れするときには、折戸２を折り畳んで開き状態としたときに、収納部５，５が手前に位置することとなり、収納部５，５への収納物の出し入れが手前側からしやすい。さらに、収納部５，５の深さが１００ｍｍ以下と比較的浅いので、収納部５，５内の収納物に手が届きやすく、収納物を取り出しやすい。
【００４３】
（実施形態２）
図４〜図６は、実施形態２に係る収納部付き建具Ｄを示している。
【００４４】
この実施形態では、収納部５，５が実施形態１と異なっている。以下では、実施形態１と共通する構成については説明を省略する。
【００４５】
収納部５，５は、その開口を開閉可能に覆う樹脂製の蓋部材６，６を備えている。各蓋部材６は、戸パネル２ａの上面と平行にスライド移動して各収納部５の開口を開閉するスライド式のものである。各蓋部材６は、各収納部５の開口を完全に覆うことができるように、その長さ及び幅が各収納部５の開口の長さ及び幅よりも少し大きくなっている。
【００４６】
図５及び図６に示すように、各収納部５には、その戸パネル２ａの厚さ方向両側の内壁側に戸パネル２ａの幅方向に沿って延びる案内凹溝５ａ，５ａが収納部５以外の部分まで、つまり戸尻側の戸パネル２ａでは戸尻側まで、戸先側の戸パネル２ａでは戸先側までそれぞれ連続するように形成されている。蓋部材６は両端部が、これら案内凹溝５ａ，５ａにスライド可能に嵌合されている。尚、蓋部材６は樹脂製で可撓性があり、その蓋部材６を幅方向に押して撓ませることにより、その両端部を案内凹溝５ａ，５ａに嵌合させることができる。
【００４７】
折戸２の上面は、蓋部材６をスライドさせて収納部５を開放させることができるように、蓋部材６を収納可能とする段差部２ｆが形成され、この段差部２ｆに案内凹溝５ａ，５ａが延長されて設けられている。
【００４８】
この実施形態の場合、以上のように、収納部５，５に各収納部５の開口を覆う蓋部材６，６を設けることで、折戸２の閉じ状態は勿論、開き状態であっても各収納部５を蓋部材６によって常時閉じておくことができ、収納部５，５に埃等がたまるのを未然に防ぐことができる。
【００４９】
また、この蓋部材６，６はスライド式のものであるので、手探りでも蓋部材６，６をスライドさせて開閉させることができ、操作性が良い。また、手の指の摩擦を利用して、蓋部材６，６を容易にスライドさせることができるので、蓋部材６，６を開閉させるためのつまみなどを設ける必要がなく、構成が簡単である。
【００５０】
蓋部材６，６に、戸パネル２ａの芯材２ｃの上面と同様の外観となるように装飾を施しておくと、蓋部材６，６が収納部の開口を閉じている限り、折戸２を開き状態にしておいても収納部５，５の存在を気づき難くなる。このことで、収納部５，５を隠し収納部としてより確実に活用することができる。
【００５１】
（実施形態３）
図７は、実施形態３に係る収納部付き建具Ｄを示している。
【００５２】
この実施形態では、収納部付き建具Ｄは、実施形態１の折戸２に替えて揺動式の開き戸３を備えている。以下では、実施形態１と共通する構成については説明を省略する。
【００５３】
収納部付き建具Ｄは、例えば、建物内の部屋の壁などの開口部Ｏ（建物の開口部）に施工されている。
【００５４】
収納部付き建具Ｄは、この開口部Ｏの周囲に固定されて施工された建具枠１と、この建具枠１に丁番７，７によって開閉可能に支持された開き戸２とを備えている。建具枠１は、上下方向に延びる左右一対の縦枠部１ａ，１ａと、これら縦枠部１ａ，１ａの上端部間に架設された上枠部１ｂと、下端部間に架設された下枠部１ｃとからなる。建具枠１には、戸当たり（図示しない）が全体に亘って連続するように取付固定されている。
【００５５】
開き戸３は、１枚の戸パネル３ａを有し、この戸パネル３ａはフラッシュ戸により構成されている。開き戸３（戸パネル３ａ）の戸尻側端部は上下２つの丁番７，７によって縦枠部１ａに連結されている。すなわち、開き戸３は、丁番７，７によって縦枠部１ａに対して揺動可能に支持されている。
【００５６】
開き戸３の戸パネル３ａ戸先側端部には、上下方向中央部に把手４が回動可能に取り付けられており、この把手４を把持して開き戸３を開閉させるようにしている。
【００５７】
尚、図示しないが、開き戸３の戸先側端部にラッチボルトが出没可能に設けられている一方、縦枠部１ａにはラッチボルトに係合可能なラッチ受けが設けられており、把手４の回動によって、ラッチボルトを出没させ、開き戸３の閉じ状態で、このラッチボルトが縦枠部１ａのラッチ受けと係合することにより、開き戸３の開放が規制される。
【００５８】
図７に示すように、開き戸３（戸パネル３ａ）の戸先側端部の上面には、その上面を凹陥させてなる収納部５が形成されている。すなわち、この収納部５は、開き戸３を開き状態としたときに開口部Ｏから手前側に位置する戸パネル３ａの上面に形成されている。
【００５９】
開き戸３は、閉じ位置で戸パネル３ａ上枠部１ｂに重なるようになっており、このことで、収納部５は、開き戸３の閉じ位置で上枠部１ｂによって閉塞される。
【００６０】
以上のように、この実施形態に係る収納部付き建具Ｄは、収納部５が開き戸３の上面の戸先側に形成されているので、開き戸３を開いたときに収納部５が完全に露出して手の届くところに位置する。従って、収納部５への収納物の出し入れがしやすい。
【００６１】
（その他の実施形態）
上記各実施形態では、折戸２や開き戸３の場合について説明したが、これ限らず、本発明は引戸や、引戸に折戸を組み合わせた引き折戸であっても適用することができる。引き折戸の場合は、その引き折戸が閉じ位置にあるときには、収納部５が上枠部１ｂによって閉塞され、開き位置にあるときには、収納部５が開放される。引戸の場合は、例えば、上枠部１ｂを開口部Ｏ上部の垂れ壁に取り付けたアウトセット方式のものとし、この上枠部１ｂに、引戸が開き位置にあるときには、収納部５と挿通するような開口部を設けておけば、開き位置にあるときには、収納部５が開放される。従って、引戸や、引き折戸を開き位置に移動させると収納部５から収納物を出し入れすることができる。
【００６２】
また、上記各実施形態では、収納部５は、折戸２を折り畳んだときや開き戸３を開いたときに手前側に位置する折戸２や開き戸３の上面に形成されている構造としたが、これに限らず、折戸２又は開き戸３や引き折戸の上面の戸先側に形成されているだけの構造でもよい。これによって、折戸２又は開き戸３や引き折戸を開き状態としたときに、収納部５が手の届くところに位置し、収納部５への収納物の出し入れがしやすい。
【００６３】
また、上記各実施形態では、折戸２や開き戸３はフラッシュ戸からなるものとしたが、これに限らず、框組戸やガラス戸等であっても本発明を適用することができる。
【００６４】
また、上記各実施形態では、収納部５には案内凹溝５ａ，５ａが形成されており、蓋部材６は、この案内凹溝５ａ，５ａに嵌合してスライドするものとしたが、これに限らず、例えば、蓋部材６は収納部５の開口を覆うように載置されている構造のものとしてもよい。
【産業上の利用可能性】
【００６５】
本発明は、収納部付き建具として極めて有用であり、産業上の利用可能性が高い。
【符号の説明】
【００６６】
Ｄ    収納部付き建具
Ｏ    開口部
１    建具枠
１ｂ  上枠部
２    折戸（戸）
３    開き戸（戸）
５    収納部
６    蓋部材
【図１】
2020007794.tif 000003
【図２】
2020007794.tif 000004
【図３】
2020007794.tif 000005
【図４】
2020007794.tif 000006
【図５】
2020007794.tif 000007
【図６】
2020007794.tif 000008
【図７】
2020007794.tif 000009